(57)【要約】      （修正有）【課題】必要に応じて折り畳むことができるそりを提供する。【解決手段】一対の滑走部１４と、滑走部を互いに連結するように滑走部の上部に配置された座板１６と、滑走部の後部にそれぞれ固定された一対の側板１８とを有するそり本体１２と、一対の背もたれ支持部材２２と、背もたれ支持部材の間に配置された背板２４と、背もたれ支持部材の上端同士を連結するための連結部材２６とを有する背もたれ部２０とを備え、背もたれ部が、各背もたれ支持部材の下部の長穴と各側板の穴に通されたボルト２８０によって、そり本体に回動可能に取り付けられており、滑走部に、そりの使用時に背もたれ支持部材の下端を係止するためのストッパ３０が設けられており、背もたれ支持部材を上方に引き上げて、背もたれ支持部材の下端とストッパとの係止を外し、背もたれ支持部材の上端を前記座板に向かって押し倒すことにより、背もたれ部を折り畳むことができるように構成されている。【選択図】図１
0003116886.tif 000002
【実用新案登録請求の範囲】
【請求項１】
折り畳み式そりであって、
一対の滑走部と、前記滑走部を互いに連結するように前記滑走部の上部に配置された座板と、前記滑走部の後部にそれぞれ固定された一対の側板とを有するそり本体と、
一対の背もたれ支持部材と、前記背もたれ支持部材の間に配置された背板と、前記背もたれ支持部材の上端同士を連結するための連結部材とを有する背もたれ部とを備え、
前記背もたれ部が、各背もたれ支持部材の下部に設けられた長穴と各側板に設けられた穴に通されたボルトによって、前記そり本体に回動可能に取り付けられており、
前記滑走部に、そりの使用時に前記背もたれ支持部材の下端を係止するためのストッパがそれぞれ設けられており、
前記背もたれ支持部材を上方に引き上げて、背もたれ支持部材の下端と前記ストッパとの係止を外し、前記背もたれ支持部材の上端を前記座板に向かって押し倒すことにより、背もたれ部を折り畳むことができるように構成されていることを特徴とするそり。
【考案の詳細な説明】
【技術分野】
【０００１】
本考案は、必要に応じて折り畳むことができる折り畳み式そりに関する。
【背景技術】
【０００２】
そりは、積雪地域において物資の搬送などに用いられる他、子供の遊具としても人気を博している。
【考案の開示】
【考案が解決しようとする課題】
【０００３】
しかしながら、そりは常時使用するものではないため、そりを使用しないときの保管場所や保管方法に苦慮するという課題があった。
【０００４】
本考案は、このような状況に鑑みて開発されたものであって、必要に応じて折り畳むことができる折り畳み式そりを提供することを目的としている。
【課題を解決するための手段】
【０００５】
本願請求項１に記載の折り畳み式そりは、一対の滑走部と、前記滑走部を互いに連結するように前記滑走部の上部に配置された座板と、前記滑走部の後部にそれぞれ固定された一対の側板とを有するそり本体と、一対の背もたれ支持部材と、前記背もたれ支持部材の間に配置された背板と、前記背もたれ支持部材の上端同士を連結するための連結部材とを有する背もたれ部とを備え、前記背もたれ部が、各背もたれ支持部材の下部に設けられた長穴と各側板に設けられた穴に通されたボルトによって、前記そり本体に回動可能に取り付けられており、前記滑走部に、そりの使用時に前記背もたれ支持部材の下端を係止するためのストッパがそれぞれ設けられており、前記背もたれ支持部材を上方に引き上げて、背もたれ支持部材の下端と前記ストッパとの係止を外し、前記背もたれ支持部材の上端を前記座板に向かって押し倒すことにより、背もたれ部を折り畳むことができるように構成されていることを特徴とするものである。
【考案の効果】
【０００６】
本考案によれば、必要に応じてそりを容易に折り畳むことができ、これにより、保管場所や保管方法に苦慮することがなくなる。
【考案を実施するための最良の形態】
【０００７】
次に添付図面を参照して、本考案の好ましい実施の形態に係る折り畳み式そりについて詳細に説明する。図１は、本考案の好ましい実施の形態に係る折り畳み式そりを模式的に示した分解斜視図である。図１において全体として参照符号１０で示される本考案の好ましい実施の形態に係る折り畳み式そりは、そり本体１２を備えている。
【０００８】
そり本体１２は、一対の滑走部１４と、滑走部１４を互いに連結するように滑走部１４の上部に配置され、そり１０に乗る人が座るための座板１６と、各滑走部１４の後部に固定された一対の側板１８とを有している。なお、図１において、折り畳み式そり１０の構造を明瞭に示すため、手前側に位置する側板１８が破線で図示されている。
【０００９】
折り畳み式そり１０は又、背もたれ部２０を備えている。背もたれ部２０は、一対の背もたれ支持部材２２と、背もたれ支持部材２２の間に配置された背板２４と、背もたれ支持部材２２の上端同士を連結するための連結部材２６とを有している。
【００１０】
そり本体１０および背もたれ部２０は、木材料、合成樹脂材料、又は金属材料などの所望の材料で形成されている。
【００１１】
背もたれ部２０は、各背もたれ支持部材２２の下部に設けられた長穴２２ａと各側板１８に設けられた穴１８ａにボルト２８ａを通してナット２８ｂをねじ込むことによって、そり本体１２に回動可能に取り付けられている。
【００１２】
各滑走部１４には、そり１０の使用時に背もたれ支持部材２２の下端を係止するためのストッパ３０がそれぞれ設けられている。ストッパ３０は、そり１０の使用時に背もたれ支持部材２２の下端が位置する箇所に取り付けられた三角柱片である。そり１０の使用時においては、背もたれ支持部材２２の下端は、側板１８に取り付けられた受け材３２とストッパ３０との間に挟まれている。なお、好ましくは、受け材３２には、緩衝用のスポンジ３２ａが取り付けられている。
【００１３】
図２を参照して、そり１０を折り畳む手順について説明する。そり１０の使用時においては、図２（ａ）に示されるように、背もたれ支持部材２２の下端がストッパ３０と受け材３２との間に挟まれている。そり１０を折り畳もうとするときには、背もたれ支持部材２２を上方に引き上げる。背もたれ部２０をそり本体１２に回動可能に取り付けているボルト２８ａが長穴２２ａに通されているため、長穴２２ａの長さの分だけ、背もたれ支持部材２２を上方に引き上げることができ、背もたれ支持部材２２の下端がストッパ３０との係止から外される（図２（ｂ）参照）。次いで、背もたれ支持部材２２の上端を座板１６に向かって押し倒すと（図２（ｃ）参照）、背もたれ部２０を折り畳むことができる（図２（ｄ）参照）。
【００１４】
図３（ａ）は、使用状態におけるそり１０を示した図、図３（ｂ）は、折り畳み状態におけるそり１０を示した図である。そり１０は、図４に示されるように、折り畳んだ状態で倒立させることもできる。
【００１５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【図面の簡単な説明】
【００１６】
【図１】本考案の好ましい実施の形態に係る折り畳み式そりを模式的に示した分解斜視図である。
【図２】図１の折り畳み式そりを折り畳む手順を示した一連の図である。
【図３】図３（ａ）は図１のそりの使用状態における側面図、図３（ｂ）は図１のそりの折り畳み状態における側面図である。
【図４】折り畳んだそりを倒立させている状態を示した側面図である。
【符号の説明】
【００１７】
１０  折り畳み式そり
１２  そり本体
１４  滑走部
１６  座板
１８  側板
２０  背もたれ部
２２  背もたれ支持部材
２４  背板
２６  連結部材
２８ａ／２８ｂ  ボルト／ナット
３０  ストッパ（三角柱片）
３２  受け材
【図１】
0003116886.tif 000003
【図２】
0003116886.tif 000004
【図３】
0003116886.tif 000005
【図４】
0003116886.tif 000006